(57)【特許請求の範囲】
【請求項１】
遊技球が流下可能な遊技領域が区画された板部材と、前記板部材の裏側に配置される樹脂製の裏ユニットとが取り付けられ、
前記裏ユニットが、平板状の本体部と、前記本体部の外周縁から前側に延びる複数の壁部とによって箱状に構成され、
前記本体部に、表示装置が取り付けられる表示装置取付孔が設けられた
遊技機であって、
前記本体部における前記表示装置取付孔よりも外周側に、部品が取り付けられる部品取付部が設定され、
前記部品取付部に、前側に突出する複数の補強リブと、前側に突出するとともに前記補強リブに一体形成され、前記部品に接続されるボスとが設けられ、
前記本体部における前記補強リブ及び前記ボスの形成領域内に段差部が形成され、
前記補強リブ及び前記段差部は、前記本体部において複数箇所に形成され、
前記補強リブ及び前記段差部の少なくとも一部は、互いに交差しており、正面視で格子状をなしており、
前記壁部及び前記補強リブの少なくとも一部は、互いに接続されており、正面視で格子状をなしており、
一部の前記補強リブの裏側には、前記壁部の外側面と前記本体部の外側面とにおいて開口する溝部が設けられている
ことを特徴とする遊技機。
【請求項２】
前記壁部側にある前記一部の前記補強リブは、裏側に前記溝部を有しており、他の前記補強リブの厚さよりも厚く設定されていることを特徴とする請求項１に記載の遊技機。
【請求項３】
前記本体部の外側面に裏側リブが突設されており、前記裏側リブ、前記補強リブ及び前記段差部の少なくとも一部は、正面視で格子状をなしていることを特徴とする請求項１または２に記載の遊技機。
【請求項４】
前記本体部と、前記複数の壁部のうち上側に位置する壁部とが、面取り部を介して接続されていることを特徴とする請求項１乃至３のいずれか１項に記載の遊技機。
【請求項５】
複数の前記補強リブの少なくとも一部は、前記部品としての中継基板に先端面が当接することにより、前記中継基板を支持し、
前記本体部に、前記中継基板の前面を覆う基板カバーが取り付けられており、
前記中継基板が、前記本体部と前記基板カバーとの間に挟み込まれ、前記基板カバーに面接触した状態で固定されている
ことを特徴とする請求項１乃至４のいずれか１項に記載の遊技機。
【発明の詳細な説明】
【技術分野】
【０００１】
本発明は、板部材と裏ユニットとが取り付けられた遊技機に関するものである。
【背景技術】
【０００２】
近年、遊技機に取り付けられる遊技盤は、遊技釘、電動チューリップ（いわゆる「電チュー」）、センター役物などが配設された板部材と、図柄表示装置や可動体などが配設された裏ユニットとを重ねて配置することによって構成されている。この種の遊技機では、図柄表示装置によってキャラクタを登場させるなどの遊技演出を行うことに加えて、遊技演出の一環としてゲームの要所で可動体を動かすことにより、遊技の興趣を高める努力がなされている。
【０００３】
しかし、可動体を移動させる演出は、一般化してきているため、遊技者に与えるインパクトが弱い。そこで、近年では、可動体を大型化することにより、可動体の見栄えを向上させたり、可動体の動作態様をはっきりと見せるようにする遊技機が提案されつつある（例えば特許文献１参照）。
【先行技術文献】
【特許文献】
【０００４】
【特許文献１】特開２０１１−１０４２９１号公報（図３等）
【発明の概要】
【発明が解決しようとする課題】
【０００５】
しかしながら、可動体は、大型化に伴って重量が増加する傾向にある。このため、可動体を裏ユニットに取り付けると、裏ユニットが撓んでしまうという問題がある。しかも、可動体は移動するものであるため、可動体の移動時に発生する慣性力が裏ユニットに作用すると、裏ユニットが大きく撓むおそれがある。また、裏ユニットには、可動体や配線基板等の部品を支持するためのボスが設けられているが、部品の大型化に伴い、ボスを高く形成したいという要望がある。しかし、ボスを高く形成すると強度が低下するため、大きく重量が嵩む部品をボスに取り付けると、ボスが変形し、部品を確実に支持できない可能性がある。
【０００６】
本発明は上記の課題に鑑みてなされたものであり、その目的は、裏ユニット及びボスの強度を向上させることにより、裏ユニットの撓みやボスの変形を防止することが可能な遊技機を提供することにある。
【課題を解決するための手段】
【０００７】
上記の課題を解決するために、請求項１（手段１）に記載の発明は、遊技球が流下可能な遊技領域が区画された板部材と、前記板部材の裏側に配置される樹脂製の裏ユニットとが取り付けられ、前記裏ユニットが、平板状の本体部と、前記本体部の外周縁から前側に延びる複数の壁部とによって箱状に構成され、前記本体部に、表示装置が取り付けられる表示装置取付孔が設けられた遊技機であって、前記本体部における前記表示装置取付孔よりも外周側に、部品が取り付けられる部品取付部が設定され、前記部品取付部に、前側に突出する複数の補強リブと、前側に突出するとともに前記補強リブに一体形成され、前記部品に接続されるボスとが設けられ、前記本体部における前記補強リブ及び前記ボスの形成領域内に段差部が形成され、前記補強リブ及び前記段差部は、前記本体部において複数箇所に形成され、前記補強リブ及び前記段差部の少なくとも一部は、互いに交差しており、正面視で格子状をなしており、前記壁部及び前記補強リブの少なくとも一部は、互いに接続されており、正面視で格子状をなしており、一部の前記補強リブの裏側には、前記壁部の外側面と前記本体部の外側面とにおいて開口する溝部が設けられていることを特徴とする遊技機をその要旨とする。
【０００８】
従って、請求項１に記載の発明によると、裏ユニットの本体部に補強リブを形成することにより、裏ユニットが補強される。さらに、強度が高い補強リブにボスが一体形成され、ボスに接続することによって部品が裏ユニットに取り付けられる。その結果、補強リブとボスとが互いに補強される。このため、重量のある部品を裏ユニットに取り付けた場合であっても、裏ユニットの撓みやボスの変形を防止することができる。
【０００９】
なお、板部材は、着色された材料によって形成されていてもよいし、無色透明の材料によって形成されていてもよい。仮に、板部材を着色された材料によって形成すれば、板部材を装飾性を有する部材として用いることができる。一方、板部材を無色透明の樹脂材料によって形成すれば、裏ユニットに表示装置を取り付けた際に、表示装置の表示画面が板部材を介して視認可能となる。
【００１０】
ここで、部品の正面視での形状としては、長方形状、正方形状、円形状、楕円形状、三角形状などが挙げられる。また、部品としては、正面視で左右方向、上下方向、斜め方向などに沿って直線的に移動するものや、任意の軸（例えば、裏ユニットの裏面に対して垂直に延びる軸）を中心として回転移動する可動体などが挙げられる。なお、可動体は、一方向のみに移動するものに限られる訳ではなく、多方向に移動するものであってもよい。
【００１１】
なお、補強リブ及びボスは、従来公知の様々な構造を適用することが可能である。補強リブは、裏ユニットの本体部において１箇所にのみ設けられていてもよいし、複数箇所に設けられていてもよいが、複数箇所に設けられることが好ましい。このようにすれば、裏ユニットが複数の補強リブによって補強されるため、裏ユニットの撓みを確実に防止することができる。また、ボスは、本体部において１箇所にのみ設けられていてもよいし、複数箇所に設けられていてもよいが、複数箇所に設けられることが好ましい。このようにすれば、部品が複数のボスによって位置決めされるため、部品のガタツキを防止することができる。なお、ボスが複数箇所に設けられている場合、各ボスを互いに離間して配置すれば、部品のガタツキをより確実に防止することができる。
【００１２】
ここで、補強リブの正面視での形状としては、直線状や曲線状などが挙げられるが、強度の観点から直線状であることが好ましい。また、補強リブは、基端側から先端側に行くに従って徐々に幅狭になる形状をなしていてもよいし、基端側から先端側に行くに従って徐々に幅広になる形状をなしていてもよい。
【００１３】
さらに、ボスの構造としては、特に限定されないが、ネジ穴を有するものであることが好ましい。この場合、部品に設けられたネジ挿通孔にネジを挿通し、挿通したネジをネジ穴に螺着させることにより、部品が裏ユニットに確実に固定されるようになる。その結果、部品の固定強度が向上する。なお、ボスは、ネジ穴を有していなくてもよく、補強リブの先端面に突設された位置決めピンであってもよい。この場合、部品に設けられた位置決め孔に位置決めピンを挿入させることにより、部品が裏ユニットに固定されるようになる。その結果、ボスを単純な形状とすることができるため、ボスの形成において裏ユニットの形成に用いられる金型の形状を大きく変えなくても済む。よって、ボスを設けたとしても、裏ユニットを低コストで形成することができる。
【００１５】
また、請求項１に記載の発明によると、部品取付部が表示装置取付孔よりも上側の領域に設定されているため、表示装置取付孔よりも上側の領域が補強リブによって補強されるようになる。よって、表示装置取付孔よりも上側の領域、即ち、遊技機の上部に部品を取り付けることにより、遊技機の重量バランスが悪くなったとしても、部品を確実に支持することができる。
【００１７】
さらに、請求項１に記載の発明によると、本体部における補強リブ及びボスの形成領域内、即ち、形成領域において補強リブやボスが存在しないために強度が低くなる箇所を、段差部を形成することによって補強することができる。即ち、例えば、補強リブを設けることが困難な場所であったとしても、裏ユニットを補強できるため、裏ユニットの撓みをより確実に防止することができる。また、補強リブ及び段差部の少なくとも一部が交差することにより、交差する部材が互いに補強される。従って、裏ユニットがより確実に補強されるため、裏ユニットの撓みをよりいっそう確実に防止することができる。
【００１８】
ここで、補強リブ及び段差部の少なくとも一部が交差する態様としては、補強リブ及び補強リブが交差すること、補強リブ及び段差部が交差すること、段差部及び段差部が交差することが挙げられる。また、「交差する」とは、一方の部材と他方の部材とが中間部分で交差して“Ｘ字状”をなすことのみをいうのではなく、一方の部材の端部が他方の部材の中間部分に接続されて“Ｔ字状”をなすことや、一方の部材の端部と他方の部材の端部とが接続されて“Ｌ字状”をなすことも含むものとする。さらに、「格子状」とは、一方の部材と他方の部材とが直交する形状や、一方の部材と他方の部材とがなす交差角が鋭角または鈍角となる形状などを含むものとする。但し、強度の観点から、一方の部材及び他方の部材は互いに直交する形状であることが好ましい。
【００２０】
また、請求項１に記載の発明によると、壁部と補強リブとが互いに接続されることにより、壁部と本体部とが補強リブを介して互いに補強される。その結果、裏ユニットがより確実に補強されるため、裏ユニットの撓みをよりいっそう確実に防止することができる。
請求項２に記載の発明は、請求項１において、前記壁部側にある前記一部の前記補強リブは、裏側に前記溝部を有しており、他の前記補強リブの厚さよりも厚く設定されていることをその要旨とする。
請求項３に記載の発明は、請求項１または２において、前記本体部の外側面に裏側リブが突設されており、前記裏側リブ、前記補強リブ及び前記段差部の少なくとも一部は、正面視で格子状をなしていることをその要旨とする。
請求項４に記載の発明は、請求項１乃至３のいずれか１項において、前記本体部と、前記複数の壁部のうち上側に位置する壁部とが、面取り部を介して接続されていることをその要旨とする。
【００２１】
請求項５（手段５）に記載の発明は、請求項１乃至４のいずれか１項において、複数の前記補強リブの少なくとも一部は、前記部品としての中継基板に先端面が当接することにより、前記中継基板を支持し、前記本体部に、前記中継基板の前面を覆う基板カバーが取り付けられており、前記中継基板が、前記本体部と前記基板カバーとの間に挟み込まれ、前記基板カバーに面接触した状態で固定されていることをその要旨とする。
【００２２】
従って、請求項５に記載の発明によると、中継基板が補強リブによって支持されるため、中継基板の取付位置に補強リブが存在していたとしても、裏ユニットに中継基板を確実に取り付けることができる。また、中継基板を固定すれば、中継基板によって裏ユニットを補強することもできるため、裏ユニットの撓みをよりいっそう確実に防止することができる。
【００２４】
また、請求項５に記載の発明によれば、中継基板が、本体部と基板カバーとの間に挟み込まれ、基板カバーに面接触するとともに補強リブの先端面に当接した状態で固定されている。従って、補強リブに加えて、中継基板及び基板カバーによって裏ユニットを補強することができるため、裏ユニットの撓みをよりいっそう確実に防止することができる。また、中継基板が、補強リブの先端面に当接するだけでなく、基板カバーの裏面にも面接触するため、中継基板のガタツキを小さくすることができる。しかも、中継基板が補強リブ側及び基板カバー側のいずれか一方のみに接触する場合に比べて、中継基板の固定強度が向上する。
【発明の効果】
【００２５】
以上詳述したように、請求項１〜５に記載の発明によれば、裏ユニット及びボスの強度を向上させることにより、裏ユニットの撓みやボスの変形を防止することが可能な遊技機を提供することができる。特に、請求項１に記載の発明によれば、例えば、補強リブを設けることが困難な場所であったとしても、裏ユニットを補強できるため、裏ユニットの撓みをより確実に防止することができる。
【図面の簡単な説明】
【００２６】
【図１】本発明におけるパチンコ機を示す正面図。
【図２】遊技盤を示す正面図。
【図３】裏ユニットを示す正面図。
【図４】裏ユニットを示す正面図。
【図５】（ａ）は図３のＡ−Ａ線断面図、（ｂ）は図３のＢ−Ｂ線断面図、（Ｃ）は図３のＣ−Ｃ線断面図。
【図６】裏ユニットを示す正面図。
【図７】裏ユニットを背面側から見たときの状態を示す斜視図。
【図８】裏ユニットを示す要部正面図。
【図９】裏ユニットを示す要部斜視図。
【図１０】（ａ）は図８のＤ−Ｄ線断面図、（ｂ）は図８のＥ−Ｅ線断面図、（Ｃ）は図８のＦ−Ｆ線断面図。
【図１１】裏ユニットを示す要部正面図。
【図１２】裏ユニットを示す要部断面図。
【図１３】裏ユニットを示す要部正面図。
【図１４】裏ユニットを示す要部斜視図。
【図１５】裏ユニットを示す要部斜視図。
【発明を実施するための形態】
【００２７】
以下、本発明の遊技機をパチンコ機１０に具体化した一実施形態を図面に基づき説明する。
【００２８】
（１）パチンコ機１０全体の概略構成
図１には、パチンコ機１０の機表側が略示されている。このパチンコ機１０は、機体の外郭をなす縦長方形状の外枠１１を備えている。外枠１１の開口前面側には、機体を構成する縦長方形状の中枠１２が、開閉及び着脱自在に組み付けられている。また、中枠１２の前面側には、前枠１４が横開き状態で開閉可能に組み付けられている。前枠１４は、中央部に窓口１４ａを有するとともに、窓口１４ａの下方に上球皿１５が一体的に組み付けられた構造を有している。前枠１４の裏面側には、機内部に配置された遊技盤１３を透視保護するためのガラス（図示略）が組み付けられている。
【００２９】
また、前枠１４の前面には、上側枠ランプ１６ａ、左側枠ランプ１６ｂ及び右側枠ランプ１６ｃが設けられている。各枠ランプ１６ａ〜１６ｃは、図示しない発光体（発光ダイオードなど）を備え、同発光体にレンズ部材を覆い被せて構成されている。これらの枠ランプ１６ａ〜１６ｃでは、パチンコ機１０の各種遊技の演出態様（大当り、リーチなど）に応じて点灯（点滅）・消灯などの発光装飾が行われるようになっている。
【００３０】
図１に示されるように、前枠１４の左上部には左スピーカ１７ａが配設され、前枠１４の右上部には右スピーカ１７ｂが配設されている。左スピーカ１７ａ及び右スピーカ１７ｂは、各種音声を出力して音声演出を行うためのものである。左スピーカ１７ａ及び右スピーカ１７ｂは前枠１４の裏面側に装着され、前枠１４の前面側において左スピーカ１７ａ及び右スピーカ１７ｂと対応する箇所には複数の放音孔（図示略）が形成されている。
【００３１】
さらに、中枠１２の前面側において前枠１４の下方には、下球皿１８が開閉可能に組み付けられている。下球皿１８の右方には、遊技球を発射する際に遊技者によって回動操作される操作ハンドル１９が装着されている。また、下球皿１８の左方には、各種音声を出力して音声演出を行う下スピーカ１７ｃが配設されている。なお、下スピーカ１７ｃは中枠１２に装着されている。
【００３２】
（２）遊技盤１３の構成
図２〜図４等に示されるように、遊技盤１３は、パチンコ機１０に取り付けられている。遊技盤１３である板部材３１の背面（裏側）には、裏ユニット４１が重ねて配置されている。板部材３１及び裏ユニット４１は、複数のネジ（図示略）によって互いに固定されている。板部材３１は、ベニヤ板などの木製基板の表面に樹脂製のセルを貼付することによって略矩形板状に形成されている。一方、裏ユニット４１は、板部材３１と略同じ外形を有し、樹脂材料（例えば、無色透明のＡＢＳ樹脂等）の射出成形によって略矩形枠状に形成されている。なお、裏ユニット４１の裏側には、図柄表示装置（図示略）が着脱自在に取り付けられるようになっている。本実施形態の図柄表示装置は液晶式であるが、ドットマトリクス式、エレクトロルミネッセンス素子式、７セグメント式の図柄表示装置であってもよい。図柄表示装置では、変動画像（または画像表示）に基づく遊技演出（表示演出）が行われるようになっている。そして、図柄表示装置では、表示演出に関連して、複数種類の図柄を３列で変動させて図柄組み合わせを導出させる図柄変動ゲームが表示されるようになっている。
【００３３】
（２−１）板部材３１の構成
図１，図２に示されるように、板部材３１の前面（即ち、遊技盤１３の遊技盤面１３ａ）には、遊技球が流下可能な遊技領域３２を区画する内レール３３ａ及び外レール３３ｂが略円形状に敷設されている。内レール３３ａと外レール３３ｂとの間に生じる発射経路には、操作ハンドル１９を操作した際に発射された遊技球が通過するようになっている。そして、発射経路を通過した遊技球は、発射経路の終端部から遊技領域３２に進入し、遊技領域３２内を流下するようになっている。
【００３４】
また、遊技盤面１３ａの略中央部には、開口部５０ａを有する枠状のセンター役物５０が装着されている。開口部５０ａの下側部分は、後壁７７によって塞がれている。さらに、センター役物５０の左側部には、左側装飾部材７８が取り付けられている。左側装飾部材７８は、センター役物５０の左側部の大部分を覆っており、左側に凸となる湾曲形状をなしている。さらに、左側装飾部材７８は、板部材３１の厚さ方向に沿って裏ユニット４１側に延びており、発光面が遊技盤面１３ａに対して略垂直に配置されている。なお、左側装飾部材７８は、樹脂材料（例えば、赤色に着色した透光性を有するＡＢＳ樹脂等）の射出成形によって形成されている。そして、左側装飾部材７８の表面全体には、光拡散処理（本実施形態では波模様）が施されている。
【００３５】
図１，図２に示されるように、遊技盤面１３ａ上におけるセンター役物５０の下方位置には、始動入賞口５１ａが形成された始動入賞装置５１が配設されている。なお、始動入賞装置５１への遊技球の入賞を契機として図柄表示装置による図柄変動ゲームが開始されると、所定数（本実施形態では３個）の賞球の払い出しが行われるようになっている。
【００３６】
また、遊技盤面１３ａ上における始動入賞装置５１の下方には、図示しないソレノイドにより開閉動作を行う大入賞口扉５２ａを備えた大入賞装置５２が配設されている。大入賞装置５２では、大入賞口への遊技球の入賞を契機として、所定数（本実施形態では１５個）の賞球の払い出しが行われるようになっている。さらに、遊技盤面１３ａ上におけるセンター役物５０の左側には、遊技球の通過を検知する機能を有するゲート５３が設けられている。ゲート５３は、上下方向に開口しており、遊技領域３２内を流下する遊技球が上方から通過可能になっている。
【００３７】
図１，図２に示されるように、遊技盤面１３ａにおいて始動入賞装置５１の左方には、左下外普通入賞装置５８ａ、左下中普通入賞装置５８ｂ及び左下内普通入賞装置５８ｃが配設されている。各普通入賞装置５８ａ〜５８ｄは、遊技球が常時入賞可能となっており、互いに連なった状態に配置されている。さらに、遊技盤面１３ａにおいて始動入賞装置５１の右上方には、右普通入賞装置５８ｄが配設されている。右普通入賞装置５８ｄには遊技球が常時入賞可能となっている。なお、各普通入賞装置５８ａ〜５８ｄでは、遊技球の入賞を契機として、所定数（本実施形態では１０個）の賞球の払い出しが行われるようになっている。
【００３８】
また、遊技領域３２内には風車３４が配設され、遊技領域３２の略全域には複数の遊技釘３５が植設されている。風車３４及び遊技釘３５は、遊技領域３２内を流下する遊技球の方向を変更するとともに、各入賞装置５１，５２，５８ａ〜５８ｃに向けて遊技球を誘導可能となっている。また、遊技領域３２の最下部（内レール３３ａの下端部）には、いずれの入賞装置５１，５２，５８ａ〜５８ｃにも入賞しなかった遊技球を回収するためのアウト口５７が配置されている。
【００３９】
（２−２）裏ユニット４１の構成
図３〜図１５に示されるように、裏ユニット４１は、正面視略矩形板状の本体部４２と、本体部４２の外周縁から前側に延びる４つの壁部４３，４４，４５，４６とによって箱状に構成されている。なお、本体部４２は、壁部４４〜４６に対して直接接続される一方、壁部４３に対しては面取り部４０を介して接続されている。また、本体部４２（裏ユニット４１）の略中央には、図柄表示装置が取り付けられる略矩形状の表示装置取付孔４７が設けられている。表示装置取付孔４７は、図柄表示装置の表示画面と略同じ大きさ及び形状をなしている。よって、図柄表示装置の表示画面は、表示装置取付孔４７及びセンター役物５０の開口部５０ａを介して板部材３１の前面側から視認可能となる。また、本体部４２の前面側には、普通入賞装置５８ａ〜５８ｄに連通する左普通入賞装置用球経路（図示略）、右普通入賞装置５８ｄに連通する右普通入賞装置用球通路４８、及び、始動入賞装置５１に連通する始動入賞装置用球通路４９が設けられている。
【００４０】
さらに、本体部４２における表示装置取付孔４７の下側には、始動入賞装置裏基板取付部６１が設定されている。始動入賞装置裏基板取付部６１には、発光ダイオードの発光などによる遊技演出を実行させる制御を行うためのランプ中継信号基板（図示略）が取り付けられている。また、本体部４２における表示装置取付孔４７の右下側には、右普通入賞装置裏基板取付部６２が設定されている。右普通入賞装置裏基板取付部６２には、主制御基板（図示略）から統括制御基板（図示略）に出力される信号を中継する電源中継基板（図示略）が取り付けられている。
【００４１】
図３，図４，図６に示されるように、本体部４２における表示装置取付孔４７の右下側（外周側）には右下可動体取付部６５が設定され、本体部４２における表示装置取付孔４７の上側（外周側）には上部可動体取付部７０が設定されている。即ち、右下可動体取付部６５は、正面視で表示装置取付孔４７よりも下側の領域に設定され、上部可動体取付部７０は、正面視で表示装置取付孔４７よりも上側の領域に設定されている。そして、右下可動体取付部６５には右下可動体（図示略）が取り付けられ、上部可動体取付部７０には上部可動体６９（図１，図２参照）が取り付けられるようになっている。
【００４２】
（３）右上可動体取付部６７等の構成
また、本体部４２における表示装置取付孔４７の右上側（外周側）には、『部品取付部』である右上可動体取付部６７が設定されている。即ち、右上可動体取付部６７は、正面視で表示装置取付孔４７よりも上側の領域に設定されている。そして、右上可動体取付部６７には、『部品』である右上可動体６６（図１〜図５参照）が取り付けられるようになっている。なお、上述した複数の可動体のうち、右上可動体６６及び上部可動体６９は、センター役物５０の裏側の空間に配置されている。
【００４３】
図１〜図５に示されるように、右上可動体６６は、正面視で略円形状をなす可動体本体１０１を備えている。可動体本体１０１は、アーム１０３を介して、裏ユニット４１の裏面４１ａに対して垂直に延びる軸１０２に取り付けられている。可動体本体１０１は、軸１０２を中心として揺動するようになっている。また、可動体本体１０１は、本体部４２に取り付けられた可動体モータ１０４の回転に伴って揺動するようになっている。具体的に言うと、可動体モータ１０４の回転軸にはモータギア（図示略）が取り付けられ、モータギアには、軸１０２に取り付けられたアーム側ギア（図示略）が複数の中継ギア（図示略）を介して間接的に噛み合っている。そして、可動体モータ１０４、モータギア、中継ギア及びアーム側ギアが回転すると、可動体本体１０１が揺動するようになっている。なお、可動体本体１０１は、表示装置取付孔４７の右側に設定された待機位置（図２，図３参照）、及び、表示装置取付孔４７内の略中央に設定された演出位置（図４参照）の間を揺動する。
【００４４】
図５，図６，図８〜図１０に示されるように、右上可動体取付部６７には、前側に突出するとともに、正面視で直線状をなす補強リブ１３１ａ，１３１ｂ，１３１ｃ，１３１ｄ，１３１ｅ，１３１ｆ，１３１ｇ，１３１ｈ，１３１ｉ，１３１ｊ，１３１ｋが複数箇所に設けられている。具体的に言うと、右上可動体取付部６７には、壁部４３と平行に配置された補強リブ１３１ｃ，１３１ｄと、壁部４３と直交した状態に配置された補強リブ１３１ｅ〜１３１ｋと、壁部４３に対して傾斜した状態に配置された補強リブ１３１ａ，１３１ｂとが設けられている。なお、補強リブ１３１ａ〜１３１ｋの高さは互いに異なっている。具体的に言うと、補強リブ１３１ｄ，１３１ｅ，１３１ｇ，１３１ｉは補強リブ１３１ａ〜１３１ｃ，１３１ｆ，１３１ｈ，１３１ｊ，１３１ｋよりも高く設定され、補強リブ１３１ａ〜１３１ｃは補強リブ１３１ｆ，１３１ｈ，１３１ｊ，１３１ｋよりも高く設定され、補強リブ１３１ｋは補強リブ１３１ｆ，１３１ｈ，１３１ｊよりも高く設定されている。また、補強リブ１３１ｄ，１３１ｅ，１３１ｇ，１３１ｉの高さは互いに等しく設定され、補強リブ１３１ａ〜１３１ｃの高さは互いに等しく設定され、補強リブ１３１ｆ，１３１ｈ，１３１ｊの高さは互い等しく設定されている。
【００４５】
図５，図６，図８〜図１０に示されるように、右上可動体取付部６７には、前側に突出する略円筒状のボス１３２ａ，１３２ｂ，１３２ｃ，１３２ｄ，１３２ｅ，１３２ｆが複数箇所に設けられている。ボス１３２ａは、補強リブ１３１ａと壁部４３との接続部分において補強リブ１３１ａに一体形成され、ボス１３２ｂは、補強リブ１３１ａ上において補強リブ１３１ａに一体形成されている。ボス１３２ｃは、補強リブ１３１ａ〜１３１ｃ，１３１ｆ及び壁部４３によって囲まれた領域内において補強リブ１３１ｃに一体形成されている。ボス１３２ｄは、補強リブ１３１ｇ上において補強リブ１３１ｇに一体形成され、ボス１３２ｅは、補強リブ１３１ｉ上において補強リブ１３１ｉに一体形成され、ボス１３２ｆは、補強リブ１３１ｋ上において補強リブ１３１ｋに一体形成されている。なお、ボス１３２ａ〜１３２ｆの高さは互いに異なっている。具体的に言うと、ボス１３２ａはボス１３２ｂ〜１３２ｆよりも高く設定され、ボス１３２ｂ〜１３２ｄはボス１３２ｃ，１３２ｆよりも高く設定され、ボス１３２ｃはボス１３２ｆよりも高く設定されている。また、ボス１３２ｂ〜１３２ｄの高さは互いに等しく設定されている。さらに、ボス１３２ａ〜１３２ｆの外径も互いに異なっている。具体的に言うと、ボス１３２ｃの外径はボス１３２ａ，１３２ｂ，１３２ｄ〜１３２ｆの外径よりも大きく設定され、ボス１３２ａの外径はボス１３２ｂ，１３２ｄ〜１３２ｆの外径よりも大きく設定されている。また、ボス１３２ｂ，１３２ｄ〜１３２ｆの外径は互いに等しく設定されている。
【００４６】
図５，図６，図８〜図１０に示されるように、ボス１３２ｂ，１３２ｄ〜１３２ｆには、先端面（前端面）において開口するネジ穴１３３が設けられている。さらに、補強リブ１３１ａ，１３１ｉ，１３１ｋには、先端面から突出する位置決めピン１３４が設けられ、ボス１３２ｃには、先端面から突出する突き出しピン１３５が設けられている。なお、右上可動体６６に設けられた位置決め孔（図５（ｂ）参照）に位置決めピン１３４を係合させるとともに、右上可動体６６の裏面に突き出しピン１３５の先端面を当接させた状態で、右上可動体６６に設けられたネジ挿通孔（図５（ａ）参照）を挿通したネジをネジ穴１３３に螺着させる（図５参照）。その結果、右上可動体６６が本体部４２に固定される。
【００４７】
また、本体部４２における補強リブ１３１ａ〜１３１ｋ及びボス１３２ａ〜１３２ｆの形成領域内には、壁部４３と平行に配置された段差部１３６ａ，１３６ｂが設けられている。その結果、補強リブ１３１ａ〜１３１ｋ及びボス１３２ａ〜１３２ｆの形成領域内において、段差部１３６ａと段差部１３６ｂとの間の領域における本体部４２の前面の位置は、壁部４３と段差部１３６ａとの間の領域、及び、補強リブ１３１ｃ，１３１ｄと段差部１３６ｂとの間の領域における本体部４２の前面の位置よりも裏ユニット４１の裏面４１ａ側に位置するようになる。また、補強リブ１３１ａ〜１３１ｋ及びボス１３２ａ〜１３２ｆの形成領域内において、段差部１３６ａと段差部１３６ｂとの間の領域にはボス１３２ｅが配置され、壁部４３と段差部１３６ａとの間の領域にはボス１３２ａ，１３２ｄ，１３２ｆが配置され、補強リブ１３１ｃ，１３１ｄと段差部１３６ｂとの間の領域にはボス１３２ｃが配置されている。
【００４８】
図５，図６，図８〜図１０に示されるように、補強リブ１３１ａ〜１３１ｋ、段差部１３６ａ，１３６ｂ及び壁部４３は、互いに交差しており、正面視で略格子状をなしている。詳述すると、補強リブ１３１ａ，１３１ｂは、補強リブ１３１ａの端部と補強リブ１３１ｂの端部とが接続されることにより、正面視でく字状をなしている。補強リブ１３１ｂ，１３１ｃは、補強リブ１３１ｂの端部と補強リブ１３１ｃの端部とが接続されることにより、正面視でく字状をなしている。補強リブ１３１ｃ，１３１ｄは、補強リブ１３１ｃの端部と補強リブ１３１ｄの端部とが接続されることにより、正面視でＩ字状をなしている。補強リブ１３１ｄ，１３１ｅは、補強リブ１３１ｄの端部と補強リブ１３１ｅの端部とが接続されることにより、正面視でＬ字状をなしている。補強リブ１３１ｃ，１３１ｆは、補強リブ１３１ｆが補強リブ１３１ｃの中間部分に接続されることにより、正面視でＴ字状をなしている。補強リブ１３１ｄ，１３１ｇは、補強リブ１３１ｄの端部と補強リブ１３１ｇの端部とが接続されることにより、正面視でＬ字状をなしている。補強リブ１３１ｄ及び補強リブ１３１ｈ〜１３１ｋは、補強リブ１３１ｈ〜１３１ｋが補強リブ１３１ｄの中間部分に対して接続されることにより、それぞれの接続部分が正面視でＴ字状をなしている。また、補強リブ１３１ｆ〜１３１ｋ及び段差部１３６ａは、補強リブ１３１ｆ〜１３１ｋが段差部１３６ａの中間部分に対して接続されることにより、それぞれの接続部分が正面視でＴ字状をなしている。補強リブ１３１ｆ〜１３１ｋ及び段差部１３６ｂは、互いに中間部分で交差することにより、それぞれの交差部分が正面視で十字状をなしている。さらに、壁部４３及び補強リブ１３１ａは、補強リブ１３１ａが壁部４３の中間部分に対して接続されることにより、正面視で略Ｔ字状をなしている。壁部４３及び補強リブ１３１ｆ〜１３１ｋは、補強リブ１３１ｆ〜１３１ｋが壁部４３の中間部分に対して接続されることにより、それぞれの接続部分が正面視でＴ字状をなしている。
【００４９】
図５，図６，図８〜図１０に示されるように、補強リブ１３１ａ，１３１ｇ，１３１ｉ，１３１ｋの裏側には、壁部４３の外側面と本体部４２の外側面（即ち、裏ユニット４１の裏面４１ａ）とにおいて開口する溝部１３７（図５，図７，図１０参照）が複数箇所に設けられている。溝部１３７を有する領域における補強リブ１３１ａ，１３１ｇ，１３１ｉ，１３１ｋの厚さは、溝部１３７を有しない領域における補強リブ１３１ａ，１３１ｇ，１３１ｉ，１３１ｋの厚さよりも厚くなっている。そして、補強リブ１３１ａにおける溝部１３７を有する領域の先端面には、ボス１３２ａ，１３２ｂ及び位置決めピン１３４が突設されている。ボス１３２ａ，１３２ｂは、接続リブ１３８を介して互いに接続されている。また、補強リブ１３１ｇにおける溝部１３７を有する領域の先端面には、ボス１３２ｄが突設されている。ボス１３２ｄは、接続リブ１３９を介して壁部４３に接続されている。さらに、補強リブ１３１ｉにおける溝部１３７を有する領域の先端面には、ボス１３２ｅ及び位置決めピン１３４が突設されている。ボス１３２ｅ及び位置決めピン１３４は、接続リブ１４０を介して互いに接続されている。また、補強リブ１３１ｋにおける溝部１３７を有する領域の先端面には、ボス１３２ｆ及び位置決めピン１３４が突設されている。ボス１３２ｆ及び位置決めピン１３４は、接続リブ１４２を介して互いに接続されている。また、ボス１３２ｆ及び位置決めピン１３４は、接続リブ１４３を介してそれぞれ壁部４３に接続されている。
【００５０】
（４）中継基板取付部６４等の構成
図３，図４，図６，図１１，図１２に示されるように、本体部４２における表示装置取付孔４７の左上側（外周側）には、『部品取付部』である中継基板取付部６４が設定されている。即ち、中継基板取付部６４は、正面視で表示装置取付孔４７よりも上側の領域に設定されている。そして、中継基板取付部６４には、『部品』である中継基板６３が取り付けられている。
【００５１】
図１１，図１２に示されるように、中継基板取付部６４には、前側に突出するとともに、正面視で直線状をなす複数の補強リブ１５１ａ，１５１ｃ，１５１ｄ，１５１ｅ，１５１ｆ，１５１ｇ，１５１ｈ，１５１ｉ，１５１ｊ，１５１ｋ，１５１ｌ，１５１ｍ，１５１ｎ，１５１ｏ，１５１ｐと、正面視で曲線状をなす補強リブ１５１ｂとが設けられている。具体的に言うと、中継基板取付部６４には、壁部４３と平行に配置されるとともに壁部４５と直交した状態に配置された補強リブ１５１ａ，１５１ｄ，１５１ｆ，１５１ｎ〜１５１ｐと、壁部４３と直交した状態に配置されるとともに壁部４５と平行に配置された補強リブ１５１ｃ，１５１ｅ，１５１ｇ〜１５１ｍと、壁部４３，４５に対して傾斜した状態に配置された補強リブ１５１ｂとが設けられている。なお、補強リブ１５１ａ〜１５１ｐの高さは互いに異なっている。具体的に言うと、補強リブ１５１ｇは補強リブ１５１ａ〜１５１ｆ，１５１ｈ〜１５１ｐよりも高く設定され、補強リブ１５１ａ〜１５１ｆは補強リブ１５１ｈ〜１５１ｐよりも高く設定され、補強リブ１５１ｈ〜１５１ｏは補強リブ１５１ｐよりも高く設定されている。また、補強リブ１５１ａ〜１５１ｆの高さは互いに等しく設定され、補強リブ１５１ｈ〜１５１ｏの高さは互いに等しく設定されている。
【００５２】
図１１，図１２に示されるように、中継基板取付部６４には、前側に突出する略円形状のボス１５２ａ，１５２ｂ，１５２ｃが複数箇所に設けられている。ボス１５２ａは、補強リブ１５１ｄ，１５１ｇ，１５１ｍ及び壁部４３によって囲まれた領域内において、接続リブ１５３を介して補強リブ１５１ｇに一体形成されている。ボス１５２ｂは、補強リブ１５１ｉ，１５１ｐ及び壁部４３，４５によって囲まれた領域内において、接続リブ１５４を介して壁部４５に一体形成されている。ボス１５２ｃは、補強リブ１５１ａ，１５１ｂ，１５１ｈ，１５１ｏによって囲まれた領域内において、補強リブ１５１ａに一体形成されている。なお、ボス１５２ａ〜１５２ｃの高さ及び外径は互いに等しく設定されている。また、ボス１５２ａ〜１５２ｃには、先端面（前端面）において開口するネジ穴が設けられている。さらに、中継基板取付部６４には、前側に突出する位置決めピン１５５ａ，１５５ｂ，１５５ｃが設けられている。位置決めピン１５５ａは、補強リブ１５１ｄ，１５１ｇ，１５１ｍ及び壁部４３によって囲まれた領域内において、接続リブ１５６を介して壁部４３に一体形成されている。位置決めピン１５５ｂは、補強リブ１５１ｉ，１５１ｐ及び壁部４３，４５によって囲まれた領域内において、接続リブ１５７を介して壁部４３に一体形成されている。位置決めピン１５５ｃは、補強リブ１５１ａ，１５１ｂ，１５１ｈ，１５１ｏによって囲まれた領域内において、補強リブ１５１ａに一体形成されている。なお、位置決めピン１５５ａ〜１５５ｃの高さ及び外径は互いに等しく設定されている。
【００５３】
また、本体部４２における補強リブ１５１ａ〜１５１ｐ及びボス１５２ａ〜１５２ｃの形成領域内には、壁部４３と平行に配置されるとともに壁部４５と直交した状態に配置された段差部１５８ａ，１５８ｂと、壁部４３と直交した状態に配置されるとともに壁部４５と平行に配置された段差部１５８ｃとが設けられている。その結果、補強リブ１５１ａ〜１５１ｐ及びボス１５２ａ〜１５２ｃの形成領域内において、段差部１５８ａと段差部１５８ｂとの間の領域における本体部４２の前面の位置、及び、壁部４５と段差部１５８ｃ（及び補強リブ１５１ｊ）との間の領域における本体部４２の前面の位置は、それ以外の領域における本体部４２の前面の位置よりも裏ユニット４１の裏面４１ａ側に位置するようになる。
【００５４】
図１１，図１２に示されるように、補強リブ１５１ａ〜１５１ｐ、段差部１５８ａ〜１５８ｃ及び壁部４３，４５は、互いに交差しており、正面視で略格子状をなしている。詳述すると、補強リブ１５１ａ，１５１ｂは、補強リブ１５１ａの端部と補強リブ１５１ｂの端部とが接続されることにより、正面視で略く字状をなしている。補強リブ１５１ｂ，１５１ｃは、補強リブ１５１ｂの端部と補強リブ１５１ｃの端部とが接続されることにより、正面視で略く字状をなしている。補強リブ１５１ｃ，１５１ｄは、補強リブ１５１ｃの端部と補強リブ１５１ｄの端部とが接続されることにより、正面視でＬ字状をなしている。補強リブ１５１ｄ，１５１ｅは、補強リブ１５１ｅが補強リブ１５１ｄの中間部分に接続されることにより、正面視でＴ字状をなしている。補強リブ１５１ｅ，１５１ｆは、補強リブ１５１ｅの端部と補強リブ１５１ｆの端部とが接続されることにより、正面視でＬ字状をなしている。補強リブ１５１ｆ，１５１ｇは、補強リブ１５１ｆの端部と補強リブ１５１ｇの端部とが接続されることにより、正面視でＬ字状をなしている。補強リブ１５１ａ，１５１ｈは、補強リブ１５１ｈが補強リブ１５１ａの中間部分に対して接続されることにより、正面視でＴ字状をなしている。補強リブ１５１ｂ，１５１ｋは、補強リブ１５１ｋが補強リブ１５１ｂの中間部分に対して接続されることにより、正面視で略Ｔ字状をなしている。補強リブ１５１ｃ，１５１ｄ，１５１ｌは、補強リブ１５１ｌが補強リブ１５１ｃ，１５１ｄの中間部分に対して接続されることにより、正面視でＴ字状をなしている。補強リブ１５１ｄ，１５１ｍは、補強リブ１５１ｍが補強リブ１５１ｄの中間部分に対して接続されることにより、正面視でＴ字状をなしている。補強リブ１５１ｃ，１５１ｈ，１５１ｎは、補強リブ１５１ｎが補強リブ１５１ｃの中間部分に対して接続されるとともに、補強リブ１５１ｈが補強リブ１５１ｎｎの中間部分に対して接続されることにより、それぞれの接続部分が正面視でＴ字状をなしている。また、補強リブ１５１ｎと補強リブ１５１ｉ〜１５１ｋとが互いに中間部分で交差することにより、それぞれの交差部分が正面視で十字状をなしている。補強リブ１５１ｂ，１５１ｉ，１５１ｊ，１５１ｏは、補強リブ１５１ｏが補強リブ１５１ｂの中間部分に対して接続されるとともに、補強リブ１５１ｉ，１５１ｊが補強リブ１５１ｏの中間部分に対して接続されることにより、それぞれの接続部分が正面視でＴ字状をなしている。また、補強リブ１５１ｈと補強リブ１５１ｏとが互いに中間部分で交差することにより、それぞれの交差部分が正面視で十字状をなしている。補強リブ１５１ｊ，１５１ｐは、補強リブ１５１ｐが補強リブ１５１ｊの中間部分に対して接続されることにより、正面視でＴ字状をなしている。また、補強リブ１５１ｉと補強リブ１５１ｐとが互いに中間部分で交差することにより、それぞれの交差部分が正面視で十字状をなしている。
【００５５】
図１１，図１２に示されるように、補強リブ１５１ｇ及び段差部１５８ａは、段差部１５８ａが補強リブ１５１ｇの中間部分に対して接続されることにより、正面視でＴ字状をなしている。補強リブ１５１ｉ〜１５１ｍ及び段差部１５８ａは、互いに中間部分で交差することにより、それぞれの交差部分が正面視で十字状をなしている。補強リブ１５１ｇ，１５１ｊ及び段差部１５８ｂは、段差部１５８ｂが補強リブ１５１ｇ，１５１ｊの中間部分に対して接続されることにより、それぞれの接続部分が正面視でＴ字状をなしている。補強リブ１５１ｋ〜１５１ｍ及び段差部１５８ｂは、互いに中間部分で交差することにより、それぞれの交差部分が正面視で十字状をなしている。補強リブ１５１ａ，１５１ｏ及び段差部１５８ｃは、段差部１５８ｃが補強リブ１５１ａ，１５１ｏの中間部分に対して接続されることにより、それぞれの接続部分が正面視でＴ字状をなしている。さらに、壁部４３及び補強リブ１５１ｇ，１５１ｋは、補強リブ１５１ｇ，１５１ｋが壁部４３の中間部分に対して接続されることにより、それぞれの接続部分が正面視で略Ｔ字状をなしている。また、壁部４５及び補強リブ１５１ａ，１５１ｎ〜１５１ｐは、補強リブ１５１ａ，１５１ｎ〜１５１ｐが壁部４５の中間部分に対して接続されることにより、それぞれの接続部分が正面視でＴ字状をなしている。
【００５６】
図１１，図１２に示されるように、補強リブ１５１ａ〜１５１ｄは、中継基板６３の外周縁の一部に当接することにより、中継基板６３を支持するようになっている。このとき、中継基板６３に設けられた３つの位置決め孔には、位置決めピン１５５ａ〜１５５ｃがそれぞれ係合するようになっている。そして、本体部４２には、中継基板６３の前面を覆う基板カバー２１が取り付けられている。基板カバー２１は、中継基板６３と略同じ外形を有し、樹脂材料（例えば、無色透明のＡＢＳ樹脂等）の射出成形によって板状に形成されている。なお、基板カバー２１に設けられたネジ孔及び中継基板６３に設けられたネジ挿通孔を挿通したネジを、ボス１５２ａ〜１５２ｃに設けられたネジ穴に螺着させる。その結果、中継基板６３が本体部４２に固定される。中継基板６３は、本体部４２と基板カバー２１との間に挟み込まれ、かつ、基板カバー２１に面接触するとともに補強リブ１５１ａ〜１５１ｄの先端面に当接した状態で固定される。
【００５７】
図３，図４，図６，図１１，図１２に示されるように、基板カバー２１には、前側に突出する補強リブ２０と、前側に突出するとともに補強リブ２０に一体形成される略円筒状のボス２２，２３とが設けられている。ボス２２，２３には、先端面（前端面）において開口するネジ穴が設けられている。さらに、ボス２３には、先端面から突出する位置決めピンが設けられている。
【００５８】
また、本体部４２における中継基板取付部６４の下側には、前側に突出する略円筒状のボス２５が設けられ、本体部４２における中継基板取付部６４の右側にも、前側に突出する略円筒状のボス２６が設けられている。ボス２５，２６には、先端面において開口するネジ穴が設けられている。さらに、ボス２５には、先端面から突出する位置決めピンが設けられている。
【００５９】
図３，図４，図６，図７に示されるように、本体部４２における表示装置取付孔４７の開口端下部には、基台１１１が取り付けられている。基台１１１は、樹脂材料（例えば、赤色に着色したＡＢＳ樹脂等）の射出成形によって形成されている。基台１１１は、表示装置取付孔４７の開口部下端縁に沿って横方向に延びるとともに、両端部が上方に延びる形状をなしている。基台１１１の左側部分には、前側に突出する略円筒状の基台側ボス１１２が複数箇所に設けられている。各基台側ボス１１２には、先端面において開口するネジ穴が設けられている。さらに、図示されていない基台側ボス１１２には、先端面から突出する位置決めピンが設けられている。
【００６０】
図３，図４，図６，図１１，図１２に示されるように、裏ユニット４１において左側装飾部材７８の裏側となる位置よりも外周側の領域であって、本体部４２において表示装置取付孔４７よりも左側となる領域には、発光装置８１が設けられている。発光装置８１は、発光基板８２、ケース部材８３及びレンズ部材８４を備えている。発光基板８２は、略矩形板状をなし、実装面に複数の発光ダイオード（図示略）が実装されている。
【００６１】
ケース部材８３は、樹脂材料（例えば、無色透明のＡＢＳ樹脂等）の射出成形によって形成され、発光基板８２を収容するようになっている。なお、発光基板８２の実装面は、裏ユニット４１の裏面４１ａから装飾部材１４１（図１，図２参照）側に傾斜している。本実施形態において、発光基板８２の実装面と裏面４１ａとがなす傾斜角度は６０°に設定されている。
【００６２】
図３，図４，図６，図１１，図１２に示されるように、ケース部材８３には、後側に延びる一対の張出部９５，９６が設けられている。両張出部９５，９６の基端側にはネジ孔９７が設けられ、両張出部９５，９６の先端側には位置決め孔９８が設けられている。また、ケース部材８３には、ケース部材８３の両端側に突出する張出部１２１，１２３が設けられている。張出部１２１の中央部分にはネジ孔１２２が設けられている。張出部１２３の基端側には位置決め孔が設けられ、張出部１２３の先端側にはネジ孔が設けられている。なお、張出部９５の位置決め孔９８にボス２３の位置決めピンを係合させ、張出部９６の位置決め孔９８にボス２５の位置決めピンを係合させた状態で、各張出部９５，９６のネジ孔９７を挿通したネジをボス２３のネジ穴に螺着させる。また、張出部１２１のネジ孔１２２を挿通したネジをボス２２のネジ穴に螺着させる。さらに、張出部１２３の位置決め孔に基台側ボス１１２の位置決めピンを係合させた状態で、張出部１２３のネジ孔を挿通したネジを基台側ボス１１２のネジ穴に螺着させる。その結果、ケース部材８３が本体部４２に固定される。
【００６３】
図３，図４，図６，図１１，図１２に示されるように、レンズ部材８４は、各発光ダイオードの前側を覆うようにケース部材８３に取り付けられている。このとき、ケース部材８３内に収容されている発光基板８２は、ケース部材８３とレンズ部材８４との間に挟み込まれた状態で固定される。レンズ部材８４は、樹脂材料（例えば、無色透明のＡＢＳ樹脂等）の射出成形によって形成されており、光拡散処理（本実施形態では網目模様）が施された発光面１２６を有している。また、発光面１２６は、裏ユニット４１の裏面４１ａから装飾部材１４１側に傾斜しており、発光基板８２の実装面と平行に配置されている。本実施形態において、発光面１２６と裏面４１ａとがなす傾斜角度は６０°に設定されている。なお、発光面１２６の下端部は、裏面４１ａに対して垂直に配置されている。また、レンズ部材８４は、各発光ダイオードが発する光の進行方向を、装飾部材１４１側とセンター役物５０の左側装飾部材７８と側とに変更する機能を有している。さらに、レンズ部材８４は、装飾部材１４１によって反射された光をさらに左側装飾部材７８側に反射させる機能も有している。
【００６４】
図１，図２に示されるように、裏ユニット４１の本体部４２において表示装置取付孔４７よりも左側となる領域には、装飾部材１４１が設けられている。即ち、装飾部材１４１は、本体部４２の略中央を包囲する位置に取り付けられている。装飾部材１４１は、発光装置８１から光を反射させるとともに、反射した光をセンター役物５０側の左側装飾部材７８に照射する機能を有している。なお、装飾部材１４１は、裏ユニット４１において発光装置８１と隣接するように配置され、かつ、発光装置８１よりも内周側に配置されている。装飾部材１４１は、正面視で円弧状をなし、裏ユニット４１の壁部４５側に凸となる湾曲形状をなしている。
【００６５】
装飾部材１４１は、樹脂材料（例えば、黒色に着色したＡＢＳ樹脂等）の射出成形によって形成され、全面に鏡面処理（本実施形態では金色のめっき）が施されている。また、装飾部材１４１には、外周側に延びる３個の張出部（図示略）が互いに離間した状態で配設されている。各張出部の中央部分にはネジ孔が設けられている。なお、最も上側にある張出部のネジ孔を挿通したネジをボス２６のネジ穴に螺着させる。また、残り２つの張出部を挿通したネジを、それぞれ基台側ボス１１２のネジ穴に螺着させる。その結果、装飾部材１４１が裏ユニット４１の本体部４２に固定される。
【００６６】
（５）基板支持台取付部１６１等の構成
図３，図４，図６，図１３〜図１５に示されるように、本体部４２における表示装置取付孔４７の左下側（外周側）には、『部品取付部』である基板支持台取付部１６１が設定されている。即ち、基板支持台取付部１６１は、正面視で表示装置取付孔４７よりも下側の領域に設定されている。そして、基板支持台取付部１６１には、『部品』である基板支持台１６２が取り付けられるようになっている。なお、基板支持台１６２は、複数の発光ダイオード１６３が実装された発光基板を支持するようになっている。各発光ダイオード１６３は、普通入賞装置５８ａ〜５８ｃを有する側部装飾部材１６４（図１，図２参照）を照らすためのものである。
【００６７】
また、基板支持台取付部１６１には、前側に突出するとともに、正面視で直線状をなす複数の補強リブ１６５ａ，１６５ｂ，１６５ｃ，１６５ｄ，１６５ｅ，１６５ｆ，１６５ｇ，１６５ｈ，１６５ｉ，１６５ｊと、正面視で矩形環状をなす補強リブ１６５ｋとが設けられている。補強リブ１６５ａ〜１６５ｆは、壁部４４と平行に配置されるとともに壁部４５と直交した状態に配置され、補強リブ１６５ｇ〜１６５ｊは、壁部４４と直交した状態に配置されるとともに壁部４５と平行に配置されている。なお、補強リブ１６５ａ〜１６５ｋの高さは互いに異なっている。具体的に言うと、補強リブ１６５ｄ〜１６５ｆ，１６５ｈ〜１６５ｊは補強リブ１６５ａ〜１６５ｃ，１６５ｇよりも高く設定されている。また、補強リブ１６５ｄ〜１６５ｆ，１６５ｈ〜１６５ｊの高さは互いに等しく設定され、補強リブ１６５ａ〜１６５ｃ，１６５ｇの高さは互いに等しく設定されている。
【００６８】
図１４，図１５に示されるように、基板支持台取付部１６１には、前側に突出する複数のボス１６６ａ，１６６ｂが設けられている。ボス１６６ａは、補強リブ１６５ｈ，１６５ｉの接続部分において、補強リブ１６５ｈ，１６５ｉに一体形成されている。ボス１６６ｂは、補強リブ１６５ｄ，１６５ｉ，１６５ｊの接続部分において、補強リブ１６５ｄ，１６５ｉ，１６５ｊに一体形成されている。そして、ボス１６６ｂの先端面には、前側に突出する略円筒状のネジ部１６７と、前側に突出する位置決めピン１６８が設けられている。ネジ部１６７には、先端面（前端面）において開口するネジ穴が設けられている。なお、基板支持台１６２に設けられた位置決め孔にボス１６６ｂの位置決めピン１６８を係合させた状態で、基板支持台１６２に設けられたネジ挿通孔１６９を挿通したネジをネジ部１６７に設けられたネジ穴に螺着させる。その結果、基板支持台１６２が本体部４２に固定される。
【００６９】
また、本体部４２における補強リブ１６５ａ〜１６５ｋ及びボス１６６ａ，１６６ｂの形成領域内には、壁部４４と直交した状態に配置されるとともに壁部４５と平行に配置された段差部１７０ａ，１７０ｂが設けられている。その結果、補強リブ１６５ａ〜１６５ｋ及びボス１６６ａ，１６６ｂの形成領域内において、段差部１７０ａと段差部１７０ｂとの間の領域における本体部４２の前面の位置は、壁部４５と段差部１７０ａとの間の領域における本体部４２の前面の位置よりも裏ユニット４１の裏面４１ａ側に位置するようになる。さらに、段差部１７０ｂよりも壁部４６側の領域における本体部４２の前面の位置は、段差部１７０ａと段差部１７０ｂとの間の領域における本体部４２の前面の位置よりも裏面４１ａ側に位置するようになる。
【００７０】
図７，図１３に示されるように、本体部４２の裏面（即ち、裏ユニット４１の裏面４１ａ）には、裏側に突出するとともに、正面視で直線状をなす４つの裏側リブ１７１ａ，１７１ｂ，１７１ｃ，１７１ｄが突設されている。裏側リブ１７１ａ〜１７１ｄは、壁部４４と平行に配置されるとともに壁部４５と直交した状態に配置されている。また、各裏側リブ１７１ａ〜１７１ｄは、連結リブ１７２によって互いに連結されている。なお、裏側リブ１７１ａ〜１７１ｄの高さ（最大高さ）は互いに等しくなっている。
【００７１】
図１３〜図１５に示されるように、補強リブ１６５ａ〜１６５ｋ、段差部１７０ａ，１７０ｂ、壁部４４，４５及び裏側リブ１７１ａ〜１７１ｄは、互いに交差しており、正面視で略格子状をなしている。詳述すると、補強リブ１６５ａ，１６５ｈは、補強リブ１６５ｈが補強リブ１６５ａの中間部分に接続されることにより、正面視でＴ字状をなしている。補強リブ１６５ｂ，１６５ｉは、補強リブ１６５ｂが補強リブ１６５ｉの中間部分に接続されることにより、正面視でＴ字状をなしている。補強リブ１６５ｃ，１６５ｉは、補強リブ１６５ｃが補強リブ１６５ｉの中間部分に対して接続されることにより、正面視でＴ字状をなしている。なお、補強リブ１６５ｃは補強リブ１６５ｋにも接続されている。補強リブ１６５ｄ，１６５ｉは、補強リブ１６５ｄの端部と補強リブ１６５ｉの端部とがボス１６６ｂを介して接続されることにより、正面視でＬ字状をなしている。補強リブ１６５ｅ，１６５ｆ，１６５ｊは、補強リブ１６５ｅ，１６５ｆが補強リブ１６５ｊの中間部分に対して接続されることにより、それぞれの接続部分が正面視で略Ｔ字状をなしている。補強リブ１６５ｄ，１６５ｇは、補強リブ１６５ｇが補強リブ１６５ｄの中間部分に対して接続されることにより、正面視でＴ字状をなしている。なお、補強リブ１６５ｇは補強リブ１６５ｋにも接続されている。
【００７２】
図１３〜図１５に示されるように、補強リブ１６５ａ及び段差部１７０ａは、補強リブ１６５ａが段差部１７０ａの中間部分に対して接続されることにより、正面視でＴ字状をなしている。補強リブ１６５ｄ，１６５ｅ及び段差部１７０ａは、互いに中間部分で交差することにより、それぞれの交差部分が正面視で十字状をなしている。補強リブ１６５ｄ及び段差部１７０ｂは、段差部１７０ｂが補強リブ１６５ｄの中間部分に対して接続されることにより、それぞれの接続部分が正面視でＴ字状をなしている。補強リブ１６５ｅ，１６５ｆ及び段差部１７０ｂは、互いに中間部分で交差することにより、それぞれの交差部分が正面視で十字状をなしている。さらに、壁部４４及び補強リブ１６５ｊは、補強リブ１６５ｊが壁部４４の中間部分（湾曲部分）に対して接続されることにより、正面視で略Ｔ字状をなしている。また、壁部４４及び段差部１７０ａ，１７０ｂは、段差部１７０ａ，１７０ｂが壁部４４の中間部分に対して接続されることにより、それぞれの接続部分が正面視でＴ字状をなしている。さらに、壁部４５及び補強リブ１６５ｄ〜１６５ｆは、補強リブ１６５ｄ〜１６５ｆが壁部４５の中間部分に対して接続されることにより、それぞれの接続部分が正面視でＴ字状をなしている。
【００７３】
図１３〜図１５に示されるように、補強リブ１６５ｇ，１６５ｉ及び裏側リブ１７１ａは、互いに中間部分で直交することにより、正面視で十字状をなしている。補強リブ１６５ｊ及び裏側リブ１７１ｂ〜１７１ｄは、互いに中間部分で直交することにより、正面視で十字状をなしている。段差部１７０ｂ及び裏側リブ１７１ｂ〜１７１ｄは、互いに中間部分で直交することにより、正面視で十字状をなしている。
【００７４】
従って、本実施形態によれば以下のような効果を得ることができる。
【００７５】
（１）本実施形態のパチンコ機１０では、裏ユニット４１の本体部４２に補強リブ１３１ａ〜１３１ｋ，１５１ａ〜１５１ｐ，１６５ａ〜１６５ｋを形成することにより、裏ユニット４１が補強される。さらに、強度が高い補強リブ１３１ａ〜１３１ｋにボス１３２ａ〜１３２ｆが一体形成され、ボス１３２ａ〜１３２ｆに接続することによって右上可動体６６が裏ユニット４１に取り付けられる。その結果、補強リブ１３１ａ〜１３１ｋとボス１３２ａ〜１３２ｆとが互いに補強される。このため、重量のある右上可動体６６を裏ユニット４１に取り付けた場合であっても、裏ユニット４１の撓みやボス１３２ａ〜１３２ｆの変形を防止することができる。
【００７６】
（２）本実施形態では、本体部４２における補強リブ１３１ａ〜１３１ｋ及びボス１３２ａ〜１３２ｆの形成領域（右上可動体取付部６７）内、具体的には、形成領域において補強リブ１３１ａ〜１３１ｋやボス１３２ａ〜１３２ｆが存在しないために強度が低くなる箇所を、段差部１３６ａ，１３６ｂに加えて面取り部４０を形成することによって補強することができる。同様に、本体部４２における補強リブ１５１ａ〜１５１ｐ及びボス１５２ａ〜１５２ｃの形成領域（中継基板取付部６４）内、具体的には、形成領域において補強リブ１５１ａ〜１５１ｐやボス１５２ａ〜１５２ｃが存在しないために強度が低くなる箇所を、段差部１５８ａ，１５８ｂに加えて面取り部４０を形成することによって補強することができる。即ち、例えば、補強リブ１３１ａ〜１３１ｋや補強リブ１５１ａ〜１５１ｐを設けることが困難な場所であったとしても、裏ユニット４１を補強できるため、裏ユニット４１の撓みをより確実に防止することができる。
【００７７】
（３）本実施形態では、右上可動体取付部６７内に形成される補強リブ１３１ａ，１３１ｇ，１３１ｉ，１３１ｋの裏側には、壁部４３の外側面と本体部４２の外側面（即ち、裏ユニット４１の裏面４１ａ）とにおいて開口する溝部１３７が設けられている。そして、溝部１３７を有する補強リブ１３１ａ，１３１ｇ，１３１ｉ，１３１ｋの先端面（前端面）にボス１３２ａ，１３２ｂ，１３２ｄ〜１３２ｆが突設されている。このため、ボス１３２ａ，１３２ｂ，１３２ｄ〜１３２ｆ付近でのヒケの発生を防止することができる。
【００７８】
（４）本実施形態では、中継基板６３が補強リブ１５１ａ〜１５１ｄによって支持されるため、中継基板６３の取付位置に補強リブ１５１ａ〜１５１ｄが存在していたとしても、裏ユニット４１に中継基板６３を確実に取り付けることができる。また、中継基板６３を固定すれば、中継基板６３によって裏ユニット４１を補強することもできるため、裏ユニット４１の撓みをよりいっそう確実に防止することができる。
【００７９】
（５）本実施形態では、本体部４２における補強リブ１６５ａ〜１６５ｋ及びボス１６６ａ，１６６ｂの形成領域（基板支持台取付部１６１）内、具体的には、形成領域において補強リブ１６５ａ〜１６５ｋやボス１６６ａ，１６６ｂが存在しないために強度が低くなる箇所を、段差部１７０ａ，１７０ｂに加えて裏側リブ１７１ａ〜１７１ｄを形成することによって補強することができる。即ち、例えば、補強リブ１６５ａ〜１６５ｋやボス１６６ａ，１６６ｂを設けることが困難な場所であったとしても、裏ユニット４１を補強できるため、裏ユニット４１の撓みをより確実に防止することができる。また、裏側リブ１７１ａ〜１７１ｄが補強リブ１６５ｊ及び段差部１７０ａ，１７０ｂと交差することにより、交差する部材が互いに補強される。従って、裏ユニット４１がより確実に補強されるため、裏ユニット４１の撓みをよりいっそう確実に防止することができる。
【００８０】
（６）本実施形態では、補強リブ１３１ａ〜１３１ｋ，１５１ａ〜１５１ｐ，１６５ａ〜１６５ｋやボス１３２ａ〜１３２ｆ，１５２ａ〜１５２ｃ，１６６ａ，１６６ｂ等によって裏ユニット４１が十分に補強されるため、裏ユニット４１を金属等で補強しなくても済む。ゆえに、裏ユニット４１を低コストで形成することができる。
【００８１】
なお、上記実施形態を以下のように変更してもよい。
【００８２】
・上記実施形態では、裏ユニット４１に、補強リブ１３１ａ〜１３１ｋ，１５１ａ〜１５１ｐ，１６５ａ〜１６５ｋ及びボス１３２ａ〜１３２ｆ，１５２ａ〜１５２ｃ，１６６ａ，１６６ｂが設けられていたが、補強リブやボスの数は適宜変更されていてもよい。なお、補強リブ及びボスの形状や形成位置は、上記実施形態のものに限定される訳ではなく、任意に変更することが可能である。
【００８３】
・上記実施形態では、中継基板取付部６４、右上可動体取付部６７及び基板支持台取付部１６１が、補強リブ及びボスを一体形成した部品取付部となっていた。しかし、上記の取付部６４，６７，１６１の少なくとも１つが、補強リブ及びボスを一体形成した部品取付部であればよい。なお、上記の取付部６４，６７，１６１の中でも、正面視で表示装置取付孔４７よりも上側の領域に設定された中継基板取付部６４及び右上可動体取付部６７が、補強リブ及びボスを一体形成した部品取付部であることが好ましい。特には、重量のある右上可動体６６が取り付けられる右上可動体取付部６７が、補強リブ及びボスを一体形成した部品取付部であることが好ましい。
【００８４】
次に、前述した実施形態によって把握される技術的思想を以下に列挙する。
【００８５】
（１）上記手段１乃至６のいずれか１つにおいて、前記補強リブは、前記本体部において複数箇所に形成されており、前記補強リブは複数種類の高さを有することを特徴とする遊技機。
【００８６】
（２）上記手段１乃至６のいずれか１つにおいて、前記補強リブは、前記本体部において複数箇所に形成され、一部の前記補強リブの裏側には、前記壁部の外側面と前記本体部の外側面とにおいて開口する溝部が設けられており、前記溝部を有する前記補強リブの厚さは、前記溝部を有しない前記補強リブの厚さよりも厚く設定され、前記溝部を有する前記補強リブの先端面に前記ボスが突設されていることを特徴とする遊技機。
【００８７】
（３）上記手段３において、前記本体部の外側面に裏側リブが突設されており、前記裏側リブ、前記補強リブ及び前記段差部の少なくとも一部は、正面視で格子状をなしていることを特徴とする遊技機。
【００８８】
（４）上記手段１乃至６のいずれか１つにおいて、前記本体部と、前記複数の壁部のうち上側に位置する壁部とが、面取り部を介して接続されていることを特徴とする遊技機。
【００８９】
（５）上記手段６において、前記基板カバーに、前側に突出する前記補強リブと、前側に突出するとともに前記補強リブに一体形成され、前記部品に接続される前記ボスとが設けられることを特徴とする遊技機。
【符号の説明】
【００９０】
１０…遊技機としてのパチンコ機
１３…遊技盤
２１…基板カバー
１３２ａ〜１３２ｆ，１５２ａ〜１５２ｃ，１６６ａ，１６６ｂ…ボス
３１…板部材
３２…遊技領域
４１…裏ユニット
４２…本体部
４３，４４，４５，４６…壁部
４７…表示装置取付孔
６３…部品としての中継基板
６４…部品取付部としての中継基板取付部
６６…部品としての右上可動体
６７…部品取付部としての右上可動体取付部
１３１ａ〜１３１ｋ，１５１ａ〜１５１ｐ、１６５ａ〜１６５ｋ…補強リブ
１３６ａ，１３６ｂ，１５８ａ〜１５８ｃ，１７０ａ，１７０ｂ…段差部
１６１…部品取付部としての基板支持台取付部
１６２…部品としての基板支持台
【図１】
0005916523.tif 000002
【図２】
0005916523.tif 000003
【図３】
0005916523.tif 000004
【図４】
0005916523.tif 000005
【図５】
0005916523.tif 000006
【図６】
0005916523.tif 000007
【図７】
0005916523.tif 000008
【図８】
0005916523.tif 000009
【図９】
0005916523.tif 000010
【図１０】
0005916523.tif 000011
【図１１】
0005916523.tif 000012
【図１２】
0005916523.tif 000013
【図１３】
0005916523.tif 000014
【図１４】
0005916523.tif 000015
【図１５】
0005916523.tif 000016